(57)【特許請求の範囲】
【請求項１】
所定平面において隣り合うように配置される第１コネクタ対と第２コネクタ対とを備えたコネクタ装置であって、
前記第１コネクタ対及び前記第２コネクタ対の夫々は、コネクタと、相手側コネクタとを備えており、
前記第１コネクタ対の前記コネクタは、操作部材と、解除防止部とを備えており、
前記第２コネクタ対の前記コネクタは、操作部材を備えており、
前記操作部材の夫々は、抜去許容状態とロック解除状態との間を遷移するように操作可能であり、且つ、前記ロック解除状態とロック状態との間を遷移するように操作可能であり、
前記第１コネクタ対及び前記第２コネクタ対の夫々において、前記操作部材が前記ロック状態にあるとき、前記コネクタは、前記相手側コネクタと接続しており、且つ、前記コネクタと前記相手側コネクタとの接続がロックされており、
前記第１コネクタ対及び前記第２コネクタ対の夫々において、前記操作部材が前記ロック状態から前記ロック解除状態に遷移すると、前記コネクタと前記相手側コネクタとの前記接続のロックが解除され、
前記第１コネクタ対及び前記第２コネクタ対の夫々において、前記操作部材が前記ロック解除状態から前記抜去許容状態に遷移すると、前記コネクタは、前記相手側コネクタから抜去可能になり、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対の前記操作部材の前記ロック解除状態への遷移を防止し、
前記第１コネクタ対及び前記第２コネクタ対の夫々において、前記コネクタはハウジングを備えており、前記操作部材はレバーとスライダとからなり、前記相手側コネクタは、相手側ハウジングを備えており、
前記第２コネクタ対において、前記スライダはロック部を有しており、前記相手側ハウジングは被ロック部を有しており、
前記第１コネクタ対及び前記第２コネクタ対の夫々において、前記レバーは、前記ハウジングに取り付けられており、前記ハウジングに対して相対的に移動可能であり、前記スライダは、前記レバーに取り付けられており、前記レバーに対して相対的に移動可能であり、
前記第１コネクタ対及び前記第２コネクタ対の夫々において、前記操作部材は、前記レバーの前記ハウジングに対する相対的な移動によって、前記抜去許容状態と前記ロック解除状態との間を遷移し、前記スライダの前記レバーに対する相対的な移動によって、前記ロック解除状態と前記ロック状態との間を遷移し、
前記第２コネクタ対において、前記操作部材が前記ロック状態にあるとき、前記ロック部は、前記被ロック部をロックして、前記レバーの前記ハウジングに対する相対的な移動を防止し、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対における前記スライダの前記レバーに対する相対的な移動を防止する
コネクタ装置。
【請求項２】
所定平面において隣り合うように配置される第１コネクタ対と第２コネクタ対とを備えたコネクタ装置であって、
前記第１コネクタ対及び前記第２コネクタ対の夫々は、コネクタと、相手側コネクタとを備えており、
前記第１コネクタ対の前記コネクタは、操作部材と、解除防止部とを備えており、
前記第２コネクタ対の前記コネクタは、操作部材を備えており、
前記操作部材の夫々は、抜去許容状態とロック解除状態との間を遷移するように操作可能であり、且つ、前記ロック解除状態とロック状態との間を遷移するように操作可能であり、
前記第１コネクタ対及び前記第２コネクタ対の夫々において、前記操作部材が前記ロック状態にあるとき、前記コネクタは、前記相手側コネクタと接続しており、且つ、前記コネクタと前記相手側コネクタとの接続がロックされており、
前記第１コネクタ対及び前記第２コネクタ対の夫々において、前記操作部材が前記ロック状態から前記ロック解除状態に遷移すると、前記コネクタと前記相手側コネクタとの前記接続のロックが解除され、
前記第１コネクタ対及び前記第２コネクタ対の夫々において、前記操作部材が前記ロック解除状態から前記抜去許容状態に遷移すると、前記コネクタは、前記相手側コネクタから抜去可能になり、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対の前記操作部材の前記ロック解除状態への遷移を防止し、
前記第１コネクタ対の前記解除防止部が前記抜去許容状態において占める空間は、前記第２コネクタ対の前記操作部材が前記抜去許容状態において占める空間と少なくとも部分的に重なっている
コネクタ装置。
【請求項３】
所定平面において隣り合うように配置される第１コネクタ対と第２コネクタ対とを備えたコネクタ装置であって、
前記第１コネクタ対及び前記第２コネクタ対の夫々は、コネクタと、相手側コネクタとを備えており、
前記第１コネクタ対の前記コネクタは、操作部材と、解除防止部とを備えており、
前記第２コネクタ対の前記コネクタは、操作部材を備えており、
前記操作部材の夫々は、抜去許容状態とロック解除状態との間を遷移するように操作可能であり、且つ、前記ロック解除状態とロック状態との間を遷移するように操作可能であり、
前記第１コネクタ対及び前記第２コネクタ対の夫々において、前記操作部材が前記ロック状態にあるとき、前記コネクタは、前記相手側コネクタと接続しており、且つ、前記コネクタと前記相手側コネクタとの接続がロックされており、
前記第１コネクタ対及び前記第２コネクタ対の夫々において、前記操作部材が前記ロック状態から前記ロック解除状態に遷移すると、前記コネクタと前記相手側コネクタとの前記接続のロックが解除され、
前記第１コネクタ対及び前記第２コネクタ対の夫々において、前記操作部材が前記ロック解除状態から前記抜去許容状態に遷移すると、前記コネクタは、前記相手側コネクタから抜去可能になり、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対の前記操作部材の前記ロック解除状態への遷移を防止し、
前記第２コネクタ対の前記操作部材は、被規制部を有しており、
前記第１コネクタ対の前記操作部材が前記ロック状態又は前記ロック解除状態にあり、前記第２コネクタ対の前記操作部材が前記ロック状態にあるとき、前記解除防止部は、前記被規制部の移動を規制して、前記第２コネクタ対の前記操作部材の前記ロック解除状態への遷移を防止する
コネクタ装置。
【請求項４】
請求項３記載のコネクタ装置であって、
前記所定平面は、互いに直交する第１方向及び第２方向によって規定され、
前記ロック状態にある前記第２コネクタ対の前記操作部材は、前記被規制部を前記第１方向に沿って移動することで前記ロック解除状態に遷移し、
前記第１コネクタ対及び前記第２コネクタ対は、前記第２方向において並んでおり、
前記第１コネクタ対の前記操作部材が前記ロック状態又は前記ロック解除状態にあり、前記第２コネクタ対の前記操作部材が前記ロック状態にあるとき、前記解除防止部は、前記第１コネクタから前記第２方向に延びており、前記第１方向において前記被規制部と対向して前記被規制部の移動を規制している
コネクタ装置。
【請求項５】
請求項４記載のコネクタ装置であって、
前記第１コネクタ対の前記コネクタは、接続防止部を備えており、
前記第１コネクタ対の前記コネクタは、前記第１コネクタ対の前記相手側コネクタが前記第１コネクタ対の前記コネクタ及び前記第２コネクタ対の前記コネクタのいずれとも接続されていない状態において、前記第２コネクタ対の前記相手側コネクタと接続可能であり、
前記第２コネクタ対の前記コネクタは、前記第２コネクタ対の前記相手側コネクタが前記第１コネクタ対の前記コネクタ及び前記第２コネクタ対の前記コネクタのいずれとも接続されていない状態において、前記第１コネクタ対の前記相手側コネクタと接続可能であり、
前記接続防止部は、前記第１コネクタ対の前記コネクタが前記第２コネクタ対の前記相手側コネクタと接続した状態において、前記第２コネクタ対の前記コネクタと前記第１コネクタ対の前記相手側コネクタとの接続を防止する
コネクタ装置。
【請求項６】
請求項５記載のコネクタ装置であって、
前記第１コネクタ対の前記コネクタは、突出部を備えており、
前記突出部は、前記コネクタから前記解除防止部と反対の方向に突出しており、前記接続防止部として機能する
コネクタ装置。
【請求項７】
請求項５又は請求項６記載のコネクタ装置であって、
前記接続防止部は、前記第１コネクタ対の前記操作部材と一体に形成されている
コネクタ装置。
【請求項８】
請求項１乃至請求項７のいずれかに記載のコネクタ装置であって、
前記第１コネクタ対及び前記第２コネクタ対の夫々において、前記コネクタは、主端子を備えており、前記相手側コネクタは、相手側主端子を備えており、
前記第１コネクタ対及び前記第２コネクタ対の夫々において、前記操作部材が前記ロック状態及び前記ロック解除状態のいずれにあるときも、前記主端子は、前記相手側主端子と接続しており、
前記第１コネクタ対及び前記第２コネクタ対の夫々において、前記操作部材が前記ロック解除状態から前記抜去許容状態に遷移すると、前記主端子と前記相手側主端子との接続が解除される
コネクタ装置。
【請求項９】
請求項８記載のコネクタ装置であって、
前記第１コネクタ対及び前記第２コネクタ対の夫々において、前記コネクタは、サブコネクタと、副端子とを備えており、前記相手側コネクタは、相手側副端子を備えており、
前記第１コネクタ対及び前記第２コネクタ対の夫々において、前記ハウジングは、前記主端子を保持しており、前記サブコネクタは、前記副端子を保持しており、前記相手側コネクタは、前記相手側主端子および前記相手側副端子を保持しており、
前記第１コネクタ対及び前記第２コネクタ対の夫々において、前記レバーの前記ハウジングに対する相対的な移動にともなって、前記ハウジングが前記相手側ハウジングに対して相対的に移動して前記主端子を前記相手側主端子と接続させ、前記スライダの前記レバーに対する相対的な移動にともなって、前記サブコネクタが前記相手側ハウジングに対して相対的に移動して前記副端子を前記相手側副端子と接続させる
コネクタ装置。
【請求項１０】
請求項１乃至請求項９のいずれかに記載のコネクタ装置であって、
前記解除防止部は、前記第１コネクタ対の前記操作部材と一体に形成されている
コネクタ装置。
【発明の詳細な説明】
【技術分野】
【０００１】
本発明は相手側コネクタと接続可能なコネクタを複数備えるコネクタ装置に関する。
【背景技術】
【０００２】
このタイプのコネクタ装置は、例えば、特許文献１に開示されている。
【０００３】
図２２に示されるように、特許文献１に開示されたコネクタ装置９００は、操作レバー付コネクタ（第１コネクタ）９１０と、操作レバー付コネクタ（第２コネクタ）９２０と、複数嵌合型コネクタ（相手側コネクタ）９３０とを備えている。第１コネクタ９１０は、操作レバー（第１操作部材）９１２を有しており、第２コネクタ９２０は、操作レバー（第２操作部材）９２２を有している。第１操作部材９１２には、第１突起９１４と、第１操作部９１８とが設けられており、第２操作部材９２２には、第２突起９２６と、第２操作部９２８とが設けられている。相手側コネクタ９３０には、第１孔９３４と、第２孔９３６とが形成されている。
【０００４】
図２２及び図２３を参照すると、コネクタ装置９００を使用する際、まず、第２コネクタ９２０を相手側コネクタ９３０に挿入し（図２２における［１］参照）、第２突起９２６を第２孔９３６に係合する。次に、第２操作部材９２２を、第２突起９２６を中心に倒すように回転する（図２２における［２］参照）。次に、第１コネクタ９１０を相手側コネクタ９３０に挿入し（図２２における［３］参照）、第１突起９１４を第１孔９３４に係合する。次に、第１操作部材９１２を、第１突起９１４を中心に倒すように回転する（図２２における［４］参照）、これにより第１コネクタ９１０及び第２コネクタ９２０が、相手側コネクタ９３０と接続する。
【０００５】
図２３に示されるように、第１コネクタ９１０及び第２コネクタ９２０が相手側コネクタ９３０と接続しているとき、第２コネクタ９２０の第２操作部９２８は、第１コネクタ９１０の第１操作部９１８の下に位置している。この構造から理解されるように、第１コネクタ９１０及び第２コネクタ９２０の相手側コネクタ９３０への接続は、上述した接続順序でのみ可能である。また、第１コネクタ９１０及び第２コネクタ９２０の相手側コネクタ９３０からの接続解除も、上述した接続順序とは逆の解除順序で行うことができる。
【先行技術文献】
【特許文献】
【０００６】
【特許文献１】特開２０１４−４９３６０号公報
【発明の概要】
【発明が解決しようとする課題】
【０００７】
図２３から理解されるように、第２操作部９２８が第１操作部９１８の下に位置していても、例えば第２操作部９２８を上方に向かって強く引くことで、第２操作部材９２２を上方に起こすようにして回転移動できる。この場合、第２操作部９２８が第１操作部９１８を下方から押し上げ、これにより第１操作部９１８は、第２操作部９２８の回転移動に合わせて回転移動する。以上の説明から理解されるように、特許文献１に開示された構造は、２つのコネクタ（第１コネクタ９１０及び第２コネクタ９２０）の解除順序が決まっている場合には適用し難い。
【０００８】
そこで、本発明は、解除順序が決まっている複数のコネクタを備えたコネクタ装置であって、解除順序を確実に制御できる構造を有するコネクタ装置を提供することを目的とする。
【課題を解決するための手段】
【０００９】
本発明は、第１のコネクタ装置として、
所定平面において隣り合うように配置される第１コネクタ対と第２コネクタ対とを備えたコネクタ装置であって、
前記第１コネクタ対及び前記第２コネクタ対の夫々は、コネクタと、相手側コネクタとを備えており、
前記第１コネクタ対の前記コネクタは、操作部材と、解除防止部とを備えており、
前記第２コネクタ対の前記コネクタは、操作部材を備えており、
前記操作部材の夫々は、抜去許容状態とロック解除状態との間を遷移するように操作可能であり、且つ、前記ロック解除状態とロック状態との間を遷移するように操作可能であり、
前記第１コネクタ対及び前記第２コネクタ対の夫々において、前記操作部材が前記ロック状態にあるとき、前記コネクタは、前記相手側コネクタと接続しており、且つ、前記コネクタと前記相手側コネクタとの接続がロックされており、
前記第１コネクタ対及び前記第２コネクタ対の夫々において、前記操作部材が前記ロック状態から前記ロック解除状態に遷移すると、前記コネクタと前記相手側コネクタとの前記接続のロックが解除され、
前記第１コネクタ対及び前記第２コネクタ対の夫々において、前記操作部材が前記ロック解除状態から前記抜去許容状態に遷移すると、前記コネクタは、前記相手側コネクタから抜去可能になり、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対の前記操作部材の前記ロック解除状態への遷移を防止する
コネクタ装置を提供する。
【００１０】
また、本発明は、第２のコネクタ装置として、第１のコネクタ装置であって、
前記第１コネクタ対及び前記第２コネクタ対の夫々において、前記コネクタは、主端子を備えており、前記相手側コネクタは、相手側主端子を備えており、
前記第１コネクタ対及び前記第２コネクタ対の夫々において、前記操作部材が前記ロック状態及び前記ロック解除状態のいずれにあるときも、前記主端子は、前記相手側主端子と接続しており、
前記第１コネクタ対及び前記第２コネクタ対の夫々において、前記操作部材が前記ロック解除状態から前記抜去許容状態に遷移すると、前記主端子と前記相手側主端子との接続が解除される
コネクタ装置を提供する。
【００１１】
また、本発明は、第３のコネクタ装置として、第２のコネクタ装置であって、
前記第１コネクタ対及び前記第２コネクタ対の夫々において、前記コネクタはハウジングを備えており、前記操作部材はレバーとスライダとからなり、前記相手側コネクタは、相手側ハウジングを備えており、
前記第２コネクタ対において、前記スライダはロック部を有しており、前記相手側ハウジングは被ロック部を有しており、
前記第１コネクタ対及び前記第２コネクタ対の夫々において、前記レバーは、前記ハウジングに取り付けられており、前記ハウジングに対して相対的に移動可能であり、前記スライダは、前記レバーに取り付けられており、前記レバーに対して相対的に移動可能であり、
前記第１コネクタ対及び前記第２コネクタ対の夫々において、前記操作部材は、前記レバーの前記ハウジングに対する相対的な移動によって、前記抜去許容状態と前記ロック解除状態との間を遷移し、前記スライダの前記レバーに対する相対的な移動によって、前記ロック解除状態と前記ロック状態との間を遷移し、
前記第２コネクタ対において、前記操作部材が前記ロック状態にあるとき、前記ロック部は、前記被ロック部をロックして、前記レバーの前記ハウジングに対する相対的な移動を防止し、
前記第１コネクタ対の前記操作部材が前記ロック状態又は前記ロック解除状態にあり、前記第２コネクタ対の前記操作部材が前記ロック状態にあるとき、前記解除防止部は、前記第２コネクタ対における前記スライダの前記レバーに対する相対的な移動を防止する
コネクタ装置を提供する。
【００１２】
また、本発明は、第４のコネクタ装置として、第３のコネクタ装置であって、
前記第１コネクタ対及び前記第２コネクタ対の夫々において、前記コネクタは、サブコネクタと、副端子とを備えており、前記相手側コネクタは、相手側副端子を備えており、
前記第１コネクタ対及び前記第２コネクタ対の夫々において、前記ハウジングは、前記主端子を保持しており、前記サブコネクタは、前記副端子を保持しており、前記相手側コネクタは、前記相手側主端子および前記相手側副端子を保持しており、
前記第１コネクタ対及び前記第２コネクタ対の夫々において、前記レバーの前記ハウジングに対する相対的な移動にともなって、前記ハウジングが前記相手側ハウジングに対して相対的に移動して前記主端子を前記相手側主端子と接続させ、前記スライダの前記レバーに対する相対的な移動にともなって、前記サブコネクタが前記相手側ハウジングに対して相対的に移動して前記副端子を前記相手側副端子と接続させる
コネクタ装置を提供する。
【００１３】
また、本発明は、第５のコネクタ装置として、第１乃至第４のいずれかのコネクタ装置であって、
前記第１コネクタ対の前記解除防止部が前記抜去許容状態において占める空間は、
前記第２コネクタ対の前記操作部材が前記抜去許容状態において占める空間と少なくとも部分的に重なっている
コネクタ装置を提供する。
【００１４】
また、本発明は、第６のコネクタ装置として、第１乃至第５のいずれかのコネクタ装置であって、
前記解除防止部は、前記第１コネクタ対の前記操作部材と一体に形成されている
コネクタ装置を提供する。
【００１５】
また、本発明は、第７のコネクタ装置として、第１乃至第６のいずれかのコネクタ装置であって、
前記第２コネクタ対の前記操作部材は、被規制部を有しており、
前記第１コネクタ対の前記操作部材が前記ロック状態又は前記ロック解除状態にあり、前記第２コネクタ対の前記操作部材が前記ロック状態にあるとき、前記解除防止部は、前記被規制部の移動を規制して、前記第２コネクタ対の前記操作部材の前記ロック解除状態への遷移を防止する
コネクタ装置を提供する。
【００１６】
また、本発明は、第８のコネクタ装置として、第７のコネクタ装置であって、
前記所定平面は、互いに直交する第１方向及び第２方向によって規定され、
前記ロック状態にある前記第２コネクタ対の前記操作部材は、前記被規制部を前記第１方向に沿って移動することで前記ロック解除状態に遷移し、
前記第１コネクタ対及び前記第２コネクタ対は、前記第２方向において並んでおり、
前記第１コネクタ対の前記操作部材が前記ロック状態又は前記ロック解除状態にあり、前記第２コネクタ対の前記操作部材が前記ロック状態にあるとき、前記解除防止部は、前記第１コネクタから前記第２方向に延びており、前記第１方向において前記被規制部と対向して前記被規制部の移動を規制している
コネクタ装置を提供する。
【００１７】
また、本発明は、第９のコネクタ装置として、第８のコネクタ装置であって、
前記第１コネクタ対の前記コネクタは、接続防止部を備えており、
前記第１コネクタ対の前記コネクタは、前記第１コネクタ対の前記相手側コネクタが前記第１コネクタ対の前記コネクタ及び前記第２コネクタ対の前記コネクタのいずれとも接続されていない状態において、前記第２コネクタ対の前記相手側コネクタと接続可能であり、
前記第２コネクタ対の前記コネクタは、前記第２コネクタ対の前記相手側コネクタが前記第１コネクタ対の前記コネクタ及び前記第２コネクタ対の前記コネクタのいずれとも接続されていない状態において、前記第１コネクタ対の前記相手側コネクタと接続可能であり、
前記接続防止部は、前記第１コネクタ対の前記コネクタが前記第２コネクタ対の前記相手側コネクタと接続した状態において、前記第２コネクタ対の前記コネクタと前記第１コネクタ対の前記相手側コネクタとの接続を防止する
コネクタ装置を提供する。
【００１８】
また、本発明は、第１０のコネクタ装置として、第９のコネクタ装置であって、
前記第１コネクタ対の前記コネクタは、突出部を備えており、
前記突出部は、前記コネクタから前記解除防止部と反対の方向に突出しており、前記接続防止部として機能する
コネクタ装置を提供する。
【００１９】
また、本発明は、第１１のコネクタ装置として、第９又は第１０のコネクタ装置であって、
前記接続防止部は、前記第１コネクタ対の前記操作部材と一体に形成されている
コネクタ装置を提供する。
【発明の効果】
【００２０】
本発明によれば、第１コネクタ対の操作部材がロック状態又はロック解除状態にあり、第２コネクタ対の操作部材がロック状態にあるとき、第１コネクタ対の解除防止部は、第２コネクタ対の操作部材のロック解除状態への遷移を防止する。このため、先ず第１コネクタ対におけるコネクタと相手側コネクタとの接続を解除しない限り、第２コネクタ対におけるコネクタと相手側コネクタとの接続を解除できない。換言すれば、本発明によるコネクタ装置は、解除順序を確実に制御できる構造を有している。
【図面の簡単な説明】
【００２１】
【図１】本発明の実施の形態によるコネクタ装置を示す斜視図である。コネクタ装置において第１コネクタ及び第２コネクタのいずれも相手側コネクタと嵌合していない。第１コネクタの操作部材が抜去許容状態にあるときの解除防止部の輪郭、及び、第２コネクタの操作部材が抜去許容状態にあるときの被規制部の輪郭を破線で描画している。
【図２】図１のコネクタ装置を示す斜視図である。第１コネクタ及び第２コネクタのいずれも相手側コネクタと嵌合し接続している。
【図３】図１の第２コネクタを示す斜視図である。
【図４】図１の相手側コネクタを示す斜視図である。相手側コネクタは、ケーブルに接続されている。
【図５】図３の第２コネクタと図４の相手側コネクタとを示す斜視図である。第２コネクタと相手側コネクタとは互いに嵌合し接続している。
【図６】図５の第２コネクタ及び相手側コネクタを示す側面図である。第２コネクタの操作部材は、抜去許容状態にある。
【図７】図６の第２コネクタ及び相手側コネクタを示す正面図である。
【図８】図７の第２コネクタ及び相手側コネクタをＶＩＩＩ−ＶＩＩＩ線に沿って示す断面図である。
【図９】図５の第２コネクタ及び相手側コネクタを示す側面図である。第２コネクタの操作部材は、ロック解除状態にある。
【図１０】図９の第２コネクタ及び相手側コネクタを示す正面図である。
【図１１】図１０の第２コネクタ及び相手側コネクタをＸＩ−ＸＩ線に沿って示す断面図である。
【図１２】図１０の第２コネクタ及び相手側コネクタをＸＩＩ−ＸＩＩ線に沿って示す断面図である。
【図１３】図５の第２コネクタ及び相手側コネクタを示す側面図である。第２コネクタの操作部材は、ロック状態にある。
【図１４】図１３の第２コネクタ及び相手側コネクタを示す正面図である。
【図１５】図１４の第２コネクタ及び相手側コネクタをＸＶ−ＸＶ線に沿って示す断面図である。
【図１６】図１４の第２コネクタ及び相手側コネクタをＸＶＩ−ＸＶＩ線に沿って示す断面図である。
【図１７】図１のコネクタ装置を示す斜視図である。第１コネクタの操作部材は、抜去許容状態にあり、第２コネクタの操作部材は、ロック解除状態から抜去許容状態に遷移する途中にある。
【図１８】図１７のコネクタ装置を示す背面図である。
【図１９】図１８のコネクタ装置をＸＩＸ−ＸＩＸ線に沿って示す断面図である。
【図２０】図１のコネクタ装置の変形例を示す斜視図である。第１コネクタ及び第２コネクタのいずれも相手側コネクタと嵌合し接続している。相手側コネクタは、ケーブルに接続されている。
【図２１】図１のコネクタ装置の変形例を示す斜視図である。第１コネクタ，第２コネクタ及び第３コネクタのいずれも相手側コネクタと嵌合し接続している。
【図２２】特許文献１のコネクタ装置を示す側面図である。第１コネクタ及び第２コネクタのいずれも相手側コネクタと嵌合していない。
【図２３】図２２のコネクタ装置を示す側面図である。第１コネクタ及び第２コネクタのいずれも相手側コネクタと嵌合し接続している。
【発明を実施するための形態】
【００２２】
図１及び図２を参照すると、本発明の実施の形態によるコネクタ装置１０は、電気自動車等の対象物（図示せず）に取り付けられ、電源システム（図示せず）から供給された電力を、例えばモーター（図示せず）に中継する。但し、本発明は、電力を中継するコネクタ装置１０以外のコネクタ装置にも適用可能である。
【００２３】
本実施の形態によるコネクタ装置１０は、第１コネクタ対２０と第２コネクタ対２０Ｘとを備えている。第１コネクタ対２０は、第１コネクタ（コネクタ）３０と、相手側コネクタ７０とを備えており、第２コネクタ対２０Ｘは、第２コネクタ（コネクタ）３０Ｘと、相手側コネクタ７０とを備えている。第１コネクタ対２０及び第２コネクタ対２０Ｘは、コネクタ装置１０の使用時に、ＸＹ平面（所定平面）において隣り合うように配置される。特に、本実施の形態によれば、第１コネクタ対２０及び第２コネクタ対２０Ｘは、互いに異なる電源回路（図示せず）を構成するサービスプラグであり、２つの相手側コネクタ７０は、モーター等の対象物の筐体に、隣り合うように取り付けられる。但し、第１コネクタ対２０及び第２コネクタ対２０Ｘの夫々は、サービスプラグでなくてもよい。
【００２４】
コネクタ３０と、コネクタ３０Ｘとは、互いに似ているが少し異なる形状を有している。一方、第１コネクタ対２０及び第２コネクタ対２０Ｘの相手側コネクタ７０は、互いに同一の形状を有している。これにより、コネクタ装置１０は、互いに異なる２つのコネクタ３０，３０Ｘと、互いに同一な２つの相手側コネクタ７０とを備えている。但し、本発明は、これに限られない。例えば、２つの相手側コネクタ７０は、多少異なった形状を有していてもよい。また、２つの相手側コネクタ７０は、互いに一体に形成されていてもよい。換言すれば、コネクタ装置１０は、夫々がコネクタ３０及びコネクタ３０Ｘの相手側コネクタとして機能する２つの部材や部位を備えていればよい。
【００２５】
図１及び図２から理解されるように、コネクタ３０及びコネクタ３０Ｘの夫々は、相手側コネクタ７０のいずれにも接続可能である。詳しくは、コネクタ３０及びコネクタ３０Ｘの夫々は、対応する相手側コネクタ７０と接続可能である。また、コネクタ３０は、第１コネクタ対２０の相手側コネクタ７０がコネクタ３０及びコネクタ３０Ｘのいずれとも接続されていない状態において、第２コネクタ対２０Ｘの相手側コネクタ７０とも接続可能である。同様に、コネクタ３０Ｘは、第２コネクタ対２０Ｘの相手側コネクタ７０がコネクタ３０及びコネクタ３０Ｘのいずれとも接続されていない状態において、第１コネクタ対２０の相手側コネクタ７０とも接続可能である。
【００２６】
以上の説明から理解されるように、第１コネクタ対２０の構造は、第２コネクタ対２０Ｘの構造とよく似ている。このため、以下、先ず第２コネクタ対２０Ｘについて詳細に説明し、次に第１コネクタ対２０について、第２コネクタ対２０Ｘとの相違点を中心に説明する。
【００２７】
図４及び図８を参照すると、相手側コネクタ７０は、絶縁体からなる相手側ハウジング７００と、導電体からなる２つの相手側主端子７８０と、導電体からなる２つの相手側副端子７９０とを備えている。相手側ハウジング７００は、相手側主端子７８０及び相手側副端子７９０を保持している。相手側主端子７８０は、ケーブル８８０を介して電源回路（図示せず）に接続されている。相手側副端子７９０は、ケーブル８９０を介して、電源回路のスイッチ（図示せず）に接続されている。
【００２８】
図４に示されるように、相手側ハウジング７００は、前後方向（Ｙ方向）に長く幅方向（Ｘ方向）に短い箱形状を有している。相手側ハウジング７００は、２つの側壁７０８を有している。側壁７０８は、相手側ハウジング７００のＸ方向における両側に夫々位置している。側壁７０８の夫々には、被ロック部７２０と、主カム突起７４０とが形成されている。被ロック部７２０は、側壁７０８の前端（＋Ｙ側の端）に設けられており、側壁７０８の上下方向（Ｚ方向）における上端（＋Ｚ側の端）から、Ｘ方向内側に張り出している。主カム突起７４０は、側壁７０８からＸ方向内側に突出している。
【００２９】
図３及び図８を参照すると、コネクタ３０Ｘは、絶縁体からなるハウジング３００と、導電体からなる主端子３８０と、第２操作部材（操作部材）４０Ｘと、絶縁体からなるサブコネクタ６００と、導電体からなる副端子６９０とを備えている。ハウジング３００は、主端子３８０を保持しており、サブコネクタ６００を支持している。サブコネクタ６００は、副端子６９０を保持している。
【００３０】
図３を参照すると、ハウジング３００は、Ｙ方向に長くＸ方向に短い箱形状を有している。ハウジング３００は、２つの側壁３０８を有している。側壁３０８は、ハウジング３００のＸ方向における両側に夫々位置している。側壁３０８の夫々には、支持軸３３０と、ガイド溝３７０とが形成されている。支持軸３３０は、側壁３０８からＸ方向外側に突出している。ガイド溝３７０は、側壁３０８の下端（−Ｚ側の端）から上方（＋Ｚ方向）に延びている。
【００３１】
図３及び図５を参照すると、操作部材４０Ｘは、絶縁体からなる第２レバー（レバー）４００Ｘと、絶縁体からなるスライダ５００とから構成されている。レバー４００Ｘは、２つの側壁４０８を有しており、スライダ５００は、２つの側壁５０８を有している。側壁４０８は、レバー４００ＸのＸ方向における両側に夫々位置しており、側壁５０８は、スライダ５００のＸ方向における両側に夫々位置している。側壁４０８の夫々には、スライド溝４６０が形成されており、側壁５０８の夫々には、スライド突起５６０が形成されている。スライド突起５６０は、側壁５０８からＸ方向外側に突出しており、スライド溝４６０に夫々挿入されている。これにより、スライダ５００は、レバー４００Ｘに取り付けられており、スライド溝４６０に沿ってスライド移動可能である。
【００３２】
図３を参照すると、レバー４００Ｘの側壁４０８の夫々には、支持孔４３０が更に形成されている。ハウジング３００の支持軸３３０は、支持孔４３０に夫々挿入されている。これにより、レバー４００Ｘは、スライダ５００が取り付けられた状態で、ハウジング３００に取り付けられており、支持軸３３０を中心に回転移動可能である。
【００３３】
より具体的には、図６、図９及び図１３から理解されるように、レバー４００Ｘは、スライダ５００と共に、第１位置（図６に示される位置）と第２位置（図９及び図１３に示される位置）との間を、ハウジング３００に対して相対的に移動可能である。第１位置におけるレバー４００Ｘは、起こされてハウジング３００に対して直立しており、第２位置におけるレバー４００Ｘは、倒されてハウジング３００と平行に延びている。
【００３４】
レバー４００Ｘが第２位置にあるとき（図９及び図１３参照）、スライド溝４６０は、Ｙ方向に沿って延びている。本実施の形態において、スライダ５００は、レバー４００Ｘが第２位置にあるときに、第１相対位置（図９に示される位置）と第２相対位置（図１３に示される位置）との間を、レバー４００Ｘに対して相対的に移動可能である。スライダ５００が第１相対位置と第２相対位置との間を移動する際、スライダ５００のスライド突起５６０は、スライド溝４６０の後端（−Ｙ側の端）と前端との間を移動する。
【００３５】
図３及び図１２を参照すると、レバー４００Ｘの側壁４０８の夫々には、被ロック部４２０と、主カム溝４４０とが更に形成されている。被ロック部４２０は、レバー４００Ｘが第２位置にあるとき（図１２参照）、側壁４０８の前端に位置しており、側壁４０８の下端からＸ方向内側に張り出している。主カム溝４４０は、レバー４００Ｘが第１位置にあるとき（図３参照）、下方（−Ｚ方向）に開口しており、支持孔４３０の近傍まで弧を描きつつ延びている。
【００３６】
図５及び図１２を参照すると、スライダ５００は、操作部（被規制部）５１０を更に有している。操作部５１０は、Ｘ方向において２つの側壁５０８（図３参照）の間に位置している。操作部５１０は、レバー４００Ｘが第２位置にあるとき（図５及び図１２参照）、レバー４００Ｘから上方に突出しており、操作者によって容易に操作できる。このとき、操作部５１０の後端面はＸＺ平面と平行な垂直面である。
【００３７】
図３及び図１２を参照すると、スライダ５００の側壁５０８の夫々には、ロック部５２０（図１２参照）と、副カム溝５５０とが更に形成されている。ロック部５２０は、レバー４００Ｘが第２位置にあるとき（図１２参照）、前方に開口した溝の上壁及び下壁を構成している。副カム溝５５０は、レバー４００Ｘが第２位置にあるとき、スライダ５００の前端近傍から下方に傾斜しつつ後方に延びている。
【００３８】
図３及び図１２を参照すると、サブコネクタ６００は、２つの副カム突起６５０を有している。副カム突起６５０は、サブコネクタ６００のＸ方向における両側部に夫々位置している。サブコネクタ６００は、ハウジング３００の内部に収容され取り付けられている。詳しくは、サブコネクタ６００の副カム突起６５０は、ハウジング３００のガイド溝３７０に夫々挿入され、ガイド溝３７０を通過してハウジング３００の外部に突出している。これにより、サブコネクタ６００は、ガイド溝３７０に沿ってハウジング３００に対して相対的に移動可能である。
【００３９】
図１及び図２を参照すると、第１コネクタ対２０のコネクタ３０は、第２コネクタ対２０Ｘのコネクタ３０Ｘの操作部材４０Ｘと少し異なる第１操作部材（操作部材）４０を備えていることを除き、コネクタ３０Ｘと同一の構造を有している。詳しくは、図３及び図８を併せて参照すると、コネクタ３０は、ハウジング３００と、主端子３８０と、操作部材４０と、サブコネクタ６００と、副端子６９０とを備えている。
【００４０】
図１及び図２を参照すると、操作部材４０は、レバー４００Ｘに代えて絶縁体からなる第１レバー（レバー）４００を有していることを除き、操作部材４０Ｘと同じ構造を有している。換言すれば、操作部材４０は、レバー４００と、スライダ５００とから構成されている。レバー４００は、レバー４００Ｘと同様に、ハウジング３００に取り付けられており、ハウジング３００に対して相対的に第１位置（図１参照）と第２位置（図２参照）との間を回転移動可能である。スライダ５００は、レバー４００に取り付けられており、レバー４００に対して相対的に第１相対位置（図１参照）と第２相対位置（図２参照）との間をスライド移動可能である。
【００４１】
レバー４００は、レバー４００Ｘが有していない解除防止部４１０と接続防止部（突出部）４１２とを有していることを除き、レバー４００Ｘと同一の構造を有している。本実施の形態による解除防止部４１０は、平板形状を有しており、レバー４００の−Ｘ側の側壁４０８から−Ｘ方向に突出している。本実施の形態による突出部４１２は、円柱形状を有しており、レバー４００の＋Ｘ側の側壁４０８から＋Ｘ方向に突出している。換言すれば、突出部４１２は、コネクタ３０から解除防止部４１０と反対の方向に突出している。
【００４２】
上述の構造を有するコネクタ３０及びコネクタ３０Ｘの夫々は、以下に説明するように対応する相手側コネクタ７０に接続される。以下、コネクタ３０Ｘと相手側コネクタ７０との接続について説明する。但し、以下の説明は、コネクタ３０Ｘ，操作部材４０Ｘ及びレバー４００Ｘをコネクタ３０，操作部材４０及びレバー４００に夫々置き換えることにより、コネクタ３０と相手側コネクタ７０との接続についても成り立つ。
【００４３】
まず、図３、図４及び図６から理解されるように、コネクタ３０Ｘは、レバー４００Ｘが第１位置にあり且つスライダ５００が第１相対位置にある状態で、相手側コネクタ７０の上方に配置される。次に、コネクタ３０Ｘを、ＸＹ平面において適切に位置合わせしつつ、−Ｚ方向に沿って相手側ハウジング７００に挿入すると、コネクタ３０Ｘは、相手側コネクタ７０と嵌合し、相手側ハウジング７００の主カム突起７４０が、レバー４００Ｘの主カム溝４４０の下端に夫々受容される。図８を参照すると、このとき、主端子３８０は、相手側主端子７８０に接続されていない。このため、相手側主端子７８０は互いに接続されておらず、電源回路（図示せず）は遮断されている。加えて、副端子６９０も、相手側副端子７９０に接続されておらず、相手側副端子７９０も互いに接続されていない。
【００４４】
次に、図６、図７、図９及び図１０から理解されるように、レバー４００Ｘを前方（＋Ｙ方向）及び下方に向かって倒すと、レバー４００Ｘは、支持軸３３０を中心に回転して第２位置に移動する。図１２を参照すると、レバー４００Ｘのハウジング３００に対する相対的な移動にともなって、相手側ハウジング７００の主カム突起７４０は、主カム溝４４０に沿って主カム溝４４０の奥部の端まで移動する。図１１を参照すると、これにより、ハウジング３００が相手側ハウジング７００に対して相対的に下方に移動して主端子３８０を相手側主端子７８０と接続させる。このため、相手側主端子７８０は互いに接続し、電源回路（図示せず）が形成される。但し、副端子６９０は、相手側副端子７９０に接続されておらず、相手側副端子７９０は互いに接続されていない。従って、通電は開始されない。図１２に示されるように、このとき、サブコネクタ６００の副カム突起６５０が、スライダ５００の副カム溝５５０の上側（＋Ｚ側）の端に夫々受容される。
【００４５】
次に、図９、図１０、図１３及び図１４から理解されるように、操作部５１０を操作してスライダ５００を前方にスライドさせると、スライド突起５６０がスライド溝４６０の後端から前端に移動し、スライダ５００は、第２相対位置に移動する。図１２及び図１６を参照すると、スライダ５００のレバー４００Ｘに対する相対的な移動にともなって、サブコネクタ６００の副カム突起６５０がスライダ５００の副カム溝５５０に沿って移動する。図１５を参照すると、これにより、サブコネクタ６００が相手側ハウジング７００に対して相対的に下方に移動して副端子６９０を相手側副端子７９０と接続させる。このため、相手側副端子７９０は互いに接続し、電源回路（図示せず）のスイッチ（図示せず）が閉じる。これにより、通電が開始される。
【００４６】
図１３乃至図１６を参照すると、スライダ５００が上述のように第２相対位置に移動したときの操作部材４０Ｘの状態（図１３乃至図１６に示される状態）をロック状態という。図１６を参照すると、操作部材４０Ｘがロック状態にあるとき、スライダ５００のロック部５２０は、レバー４００Ｘの被ロック部４２０と相手側ハウジング７００の被ロック部７２０とを上下に挟んでいる。このため、レバー４００Ｘを、ハウジング３００から起こすことができない。換言すれば、操作部材４０Ｘがロック状態にあるとき、ロック部５２０は、被ロック部４２０と共に被ロック部７２０をロックして、レバー４００Ｘのハウジング３００に対する相対的な移動を防止する。
【００４７】
図１５を参照すると、操作部材４０Ｘがロック状態にあるとき、コネクタ３０Ｘの主端子３８０は、相手側コネクタ７０の相手側主端子７８０と接続している。図１６を併せて参照すると、ロック部５２０は、主端子３８０と相手側主端子７８０との接続が解除されることを防止している。換言すれば、操作部材４０Ｘがロック状態にあるとき、コネクタ３０Ｘは、相手側コネクタ７０と接続しており、且つ、コネクタ３０Ｘと相手側コネクタ７０との接続がロックされている。
【００４８】
図１及び図２を参照すると、コネクタ３０及びコネクタ３０Ｘの夫々は、以上に説明した操作を逆に行うことで、相手側コネクタ７０から抜去できる。以下、コネクタ３０Ｘの相手側コネクタ７０からの抜去について説明する。但し、以下の説明は、コネクタ３０Ｘ，操作部材４０Ｘ及びレバー４００Ｘをコネクタ３０，操作部材４０及びレバー４００に夫々置き換えることにより、コネクタ３０の相手側コネクタ７０からの抜去についても成り立つ。
【００４９】
図９乃至図１６を参照すると、まず、スライダ５００を第２相対位置（図１３乃至図１６の位置）から第１相対位置（図９乃至図１２の位置）に移動させる。スライダ５００が第１相対位置に移動したときの操作部材４０Ｘの状態をロック解除状態という。
【００５０】
図１２を参照すると、操作部材４０Ｘがロック解除状態にあるとき、スライダ５００のロック部５２０は、レバー４００Ｘの被ロック部４２０及び相手側ハウジング７００の被ロック部７２０からＹ方向において離れている。このため、レバー４００Ｘを、ハウジング３００から起こすことができる。換言すれば、操作部材４０Ｘがロック状態からロック解除状態に遷移すると、被ロック部４２０及び被ロック部７２０に対するロック部５２０のロックが解除され、レバー４００Ｘのハウジング３００に対する相対的な移動が許容される。
【００５１】
詳しくは、図１１を参照すると、操作部材４０Ｘがロック解除状態にあるときも、コネクタ３０Ｘの主端子３８０は、相手側コネクタ７０の相手側主端子７８０と接続している。但し、副端子６９０と相手側副端子７９０との接続が解除され、通電が停止される。図１２を参照すると、このとき、ロック部５２０は、主端子３８０と相手側主端子７８０との接続が解除されることを防止していない。換言すれば、操作部材４０Ｘがロック状態からロック解除状態に遷移すると、コネクタ３０Ｘと相手側コネクタ７０との接続が維持されたまま、コネクタ３０Ｘと相手側コネクタ７０との接続のロックが解除される。
【００５２】
図６乃至図１２を参照すると、次に、レバー４００Ｘを第２位置（図９乃至図１２の位置）から第１位置（図６乃至図８の位置）に移動させる。レバー４００Ｘが第１位置に移動したときの操作部材４０Ｘの状態を抜去許容状態という。
【００５３】
図８を参照すると、操作部材４０Ｘがロック解除状態から抜去許容状態に遷移すると、コネクタ３０Ｘの主端子３８０と相手側コネクタ７０の相手側主端子７８０との接続が解除され、電源回路（図示せず）が遮断される。換言すれば、操作部材４０Ｘがロック解除状態から抜去許容状態に遷移すると、コネクタ３０Ｘと相手側コネクタ７０との接続が解除され、コネクタ３０Ｘは、相手側コネクタ７０から上方に向かって抜去可能になる。
【００５４】
図１及び図２を参照すると、上述のように、操作部材４０及び操作部材４０Ｘの夫々は、抜去許容状態とロック解除状態との間を遷移するように操作可能であり、且つ、ロック解除状態とロック状態との間を遷移するように操作可能である。特に、本実施の形態によれば、第１コネクタ対２０及び第２コネクタ対２０Ｘの夫々において、操作部材（操作部材４０又は操作部材４０Ｘ）は、レバー（レバー４００又はレバー４００Ｘ）のハウジング３００に対する相対的な移動によって、抜去許容状態とロック解除状態との間を遷移し、スライダ５００のレバーに対する相対的な移動によって、ロック解除状態とロック状態との間を遷移する。
【００５５】
図２を参照すると、操作部材４０及び操作部材４０Ｘの夫々がロック状態にあるとき、解除防止部４１０の前端面は、ＸＺ平面と平行な垂直面であり、操作部材４０Ｘの操作部５１０の後端面とＹ方向において対向している。操作部材４０がロック解除状態に遷移しても、操作部材４０Ｘの操作部５１０に対する解除防止部４１０の位置関係は変わらない。このため、操作部材４０がロック状態又はロック解除状態にあり、操作部材４０Ｘがロック状態にあるとき、操作部材４０Ｘのスライダ５００は、第２相対位置に移動できない。換言すれば、操作部材４０がロック状態又はロック解除状態にあり操作部材４０Ｘがロック状態にあるとき、解除防止部４１０は、操作部材４０Ｘのロック解除状態への遷移を防止する。
【００５６】
上述の構造により、先ず操作部材４０を抜去可能状態に遷移させない限り、操作部材４０Ｘは抜去可能状態に遷移できない。換言すれば、先ず第１コネクタ対２０におけるコネクタ３０と相手側コネクタ７０との接続を解除しない限り、第２コネクタ対２０Ｘにおけるコネクタ３０Ｘと相手側コネクタ７０との接続を解除できない。即ち、本発明によるコネクタ装置１０は、例えば、電源回路（図示せず）の解除順序が決まっているような場合、解除順序を確実に制御できる構造を有している。
【００５７】
特に、本実施の形態によれば、操作部材４０がロック状態又はロック解除状態にあり、操作部材４０Ｘがロック状態にあるとき、解除防止部４１０は、第２コネクタ対２０Ｘにおけるスライダ５００のレバー４００Ｘに対する相対的な移動を防止し、これにより操作部材４０Ｘのロック解除状態への遷移を防止する。より具体的には、コネクタ３０のレバー４００は、規制部として機能する解除防止部４１０を有しており、コネクタ３０Ｘのスライダ５００は、被規制部として機能する操作部５１０を有している。操作部材４０がロック状態又はロック解除状態にあり、操作部材４０Ｘがロック状態にあるとき、解除防止部４１０は、被規制部５１０の移動を規制して、操作部材４０Ｘのロック解除状態への遷移を防止する。
【００５８】
図１及び図２を参照すると、本実施の形態によれば、第１コネクタ対２０及び第２コネクタ対２０Ｘは、Ｘ方向（第２方向）において並んでいる。ロック状態にある操作部材４０は、被規制部５１０を−Ｙ方向（第１方向）に沿って移動することでロック解除状態に遷移する。操作部材４０がロック状態又はロック解除状態にあり、操作部材４０Ｘがロック状態にあるとき、解除防止部４１０は、コネクタ３０から−Ｘ方向に延びており、Ｙ方向において被規制部５１０と対向して被規制部５１０の移動を規制している。
【００５９】
図１を参照すると、本実施の形態による解除防止部４１０は、操作部材４０（レバー４００）の一部であり操作部材４０と一体に羽のような形状に形成されている。但し、解除防止部４１０は、被規制部５１０の移動を規制できる限り、どのような形状を有していてもよい。また、解除防止部４１０は、操作部材４０と別体に形成され操作部材４０に取り付けられていてもよい。更に、解除防止部４１０は、レバー４００でなく、コネクタ３０のハウジング３００に設けてもよい。
【００６０】
図１を参照すると、解除防止部４１０は、操作部材４０が抜去許容状態にあるとき、第１領域Ｒ１に位置し、操作部材４０Ｘ（被規制部５１０）は、抜去許容状態にあるとき、第２領域Ｒ２に位置する。第１領域Ｒ１は、第２領域Ｒ２と少なくとも部分的に重なっている。換言すれば、解除防止部４１０が抜去許容状態において占める空間は、操作部材４０Ｘ（被規制部５１０）が抜去許容状態において占める空間と少なくとも部分的に重なっている。図１７乃至図１９を参照すると、操作部材４０が抜去可能状態にあるときに、操作部材４０Ｘを抜去可能状態に遷移させようとすると、上述の構造により、操作部材４０Ｘの被規制部５１０が解除防止部４１０と突き当たり、操作部材４０Ｘの抜去可能状態への遷移を防止する。
【００６１】
図１９から理解されるように、本実施の形態によれば、操作部材４０Ｘが抜去可能状態に遷移しない限り、相手側ハウジング７００の主カム突起７４０がレバー４００Ｘの主カム溝４４０の内壁と突き当たってレバー４００Ｘの上方への移動を防止する。このため、先ずコネクタ３０を抜去しない限り、コネクタ３０Ｘを抜去できない。但し、操作部材４０が抜去許容状態にあるとき、コネクタ３０Ｘをコネクタ３０より先に抜去できるように構成することも可能である。
【００６２】
図１及び図２を参照すると、操作部材４０Ｘが抜去可能状態又はロック解除状態にあるとき、操作部材４０Ｘの被規制部５１０が操作部材４０の解除防止部４１０の邪魔をするため、コネクタ３０を相手側コネクタ７０と接続できない。このため、先ずコネクタ３０Ｘを相手側コネクタ７０と接続しない限り、コネクタ３０を相手側コネクタ７０と接続できない。これにより、本実施の形態によるコネクタ装置１０は、接続順序を確実に制御できる構造も有している。
【００６３】
本実施の形態において、操作誤りによりコネクタ３０を第２コネクタ対２０Ｘの相手側コネクタ７０と接続すると、接続防止部４１２の一部は、第１コネクタ対２０の相手側コネクタ７０の上に位置する。このため、コネクタ３０Ｘを第１コネクタ対２０の相手側コネクタ７０に挿入できない。換言すれば、接続防止部４１２は、コネクタ３０が第２コネクタ対２０Ｘの相手側コネクタ７０と接続した状態において、コネクタ３０Ｘと第１コネクタ対２０の相手側コネクタ７０との接続を防止する。これにより、本実施の形態によるコネクタ装置１０は、誤嵌合や誤接続を防止できる構造も有している。
【００６４】
特に、本実施の形態によるコネクタ３０は、接続防止部４１２として機能する円柱状の突出部を備えている。また、本実施の形態による接続防止部４１２は、操作部材４０のレバー４００と一体に形成されている。但し、本発明は、これに限られない。例えば、接続防止部４１２は、誤嵌合や誤接続を防止できる限り、どのような形状を有していてもよい。また、接続防止部４１２は、第１コネクタ対２０のハウジング３００に設けてもよい。更に、接続防止部４１２は、必要に応じて設ければよい。
【００６５】
以上のように構成されたコネクタ装置１０は、既に説明した変形例に加えて、以下に説明するように様々に変形可能である。
【００６６】
図２０を参照すると、本実施の形態の変形例によるコネクタ装置１０Ａは、本実施の形態と少し異なる第１コネクタ対２０Ａと、本実施の形態と同一の第２コネクタ対２０Ｘとを備えている。第１コネクタ対２０Ａは、本実施の形態と少し異なる第１コネクタ（コネクタ）３０Ａと本実施の形態と同一の相手側コネクタ７０とを備えている。コネクタ３０Ａは、本実施の形態と少し異なるハウジング３００Ａ及び第１操作部材（操作部材）４０Ａを備えていることを除き、コネクタ３０（図２参照）と同じ構造を有している。操作部材４０Ａは、絶縁体からなる第１レバー（レバー）４００Ａと、スライダ５００とから構成されている。本変形例によれば、レバー４００Ａには解除防止部４１０（図２参照）が設けられていない一方、ハウジング３００Ａには、解除防止部４１０と同様に機能する解除防止部４１０Ａが設けられている。本変形例によれば、第２コネクタ対２０Ｘの操作部材４０Ｘは、第１コネクタ対２０Ａのコネクタ３０Ａを相手側コネクタ７０から抜去した後に、ロック解除状態に遷移可能である。
【００６７】
第１コネクタ対２０Ａと第２コネクタ対２０Ｘとは、本実施の形態と同様に、Ｘ方向に並んでいる。但し、第１コネクタ対２０Ａと第２コネクタ対２０Ｘとは、互いに直交するように配置されている。より具体的には、操作部材４０Ａ及び操作部材４０Ｘの夫々がロック状態にあるとき、コネクタ３０Ａは、コネクタ３０Ｘの前端（＋Ｙ側の端）近傍から−Ｘ方向に延びている。このとき、解除防止部４１０Ａは、コネクタ３０Ａから＋Ｘ方向に延びており、Ｙ方向において被規制部５１０と対向して被規制部５１０の後方への（−Ｙ方向の）移動を規制している。
【００６８】
第１コネクタ対及び第２コネクタ対は、本実施の形態や上述の変形例に限られず、様々に配置可能である。また、解除防止部や被規制部は、第１コネクタ対及び第２コネクタ対の配置に応じて設ければよい。
【００６９】
図２１を参照すると、本実施の形態の別の変形例によるコネクタ装置１０Ｂは、第１コネクタ対２０及び第２コネクタ対２０Ｘに加えて、第３コネクタ対２０Ｙを備えている。第１コネクタ対２０，第２コネクタ対２０Ｘ及び第３コネクタ対２０Ｙは、Ｘ方向に並んでいる。第３コネクタ対２０Ｙは、第３コネクタ（コネクタ）３０Ｙと、相手側コネクタ７０とを備えている。コネクタ３０Ｙは、操作部材４０と少し異なる第３操作部材（操作部材）４０Ｙを備えていることを除き、コネクタ３０と同じ構造を有している。操作部材４０Ｙは、絶縁体からなる第３レバー（レバー）４００Ｙと、スライダ５００とから構成されている。レバー４００Ｙは、接続防止部４１２を有していないことを除き、レバー４００と同じ構造を有している。
【００７０】
本変形例によれば、第１コネクタ対２０及び第２コネクタ対２０Ｘを第３コネクタ対２０ＹのＸ方向における両側に配置することで、第１コネクタ対２０，第３コネクタ対２０Ｙ及び第２コネクタ対２０Ｘの解除順序をこの順に制御できる。更に、第２コネクタ対２０Ｘ，第３コネクタ対２０Ｙ及び第１コネクタ対２０の接続順序をこの順に制御できる。第３コネクタ対２０Ｙを２以上備える場合でも、同様の配置によって解除順序及び接続順序を制御できる。
【００７１】
図１及び図２を図８と併せて参照すると、第１コネクタ対２０及び第２コネクタ対２０Ｘの夫々は、サブコネクタ６００，副端子６９０及び相手側副端子７９０を備えていなくてもよい。この場合、スライダ５００の第１相対位置から第２相対位置への移動は、操作部材（操作部材４０又は操作部材４０Ｘ）をロック状態に遷移させるためだけに行われる。
【００７２】
図１及び図２を参照すると、第１コネクタ対２０及び第２コネクタ対２０Ｘの夫々において、レバー（レバー４００又はレバー４００Ｘ）とスライダ５００とを互いに一体に形成してもよい。例えば、操作部材（操作部材４０又は操作部材４０Ｘ）は、回転移動及びスライド移動の両方が可能なレバーのみから形成されていてもよいし、回転移動のみが可能なレバーのみから形成されていてもよい。一方、操作部材は、３つ以上の部材から形成されていてもよい。更に、操作部材は、回転移動以外の移動（例えば、スライド移動）によって抜去可能状態とロック解除状態との間を遷移してもよい。同様に、操作部材は、スライド移動以外の移動（例えば、回転移動）によってロック解除状態とロック状態との間を遷移してもよい。
【００７３】
操作部材のロック部は、弾性的に支持されてロック状態において相手側ハウジングの被ロック部と係合する部位であってもよい。この場合、ロック部と被ロック部との係合は、操作者の操作によって解除可能であってもよい。更に、解除防止部は、操作者の係合解除操作を妨げることによって操作部材のロック解除状態への遷移を防止してもよい。
【００７４】
本実施の形態において、第１コネクタ対を構成する部材は、レバーを除いて、第２コネクタ対を構成する部材と夫々同一である。一方、第１コネクタ対を構成する部材は、第２コネクタ対を構成する部材と夫々異なる形状やサイズを有していてもよい。但し、部品の種類を削減するという観点からは、本実施の形態のように構成することが好ましい。
【符号の説明】
【００７５】
１０，１０Ａ，１０Ｂ  コネクタ装置
２０，２０Ａ          第１コネクタ対
２０Ｘ                第２コネクタ対
２０Ｙ                第３コネクタ対
３０，３０Ａ          第１コネクタ（コネクタ）
３０Ｘ                第２コネクタ（コネクタ）
３０Ｙ                第３コネクタ（コネクタ）
３００，３００Ａ      ハウジング
３０８                側壁
３３０                支持軸
３７０                ガイド溝
３８０                主端子
４０，４０Ａ          第１操作部材（操作部材）
４０Ｘ                第２操作部材（操作部材）
４０Ｙ                第３操作部材（操作部材）
４００，４００Ａ      第１レバー（レバー）
４００Ｘ              第２レバー（レバー）
４００Ｙ              第３レバー（レバー）
４０８                側壁
４１０，４１０Ａ      解除防止部
４１２                接続防止部（突出部）
４２０                被ロック部
４３０                支持孔
４４０                主カム溝
４６０                スライド溝
５００                スライダ
５０８                側壁
５１０                操作部（被規制部）
５２０                ロック部
５５０                副カム溝
５６０                スライド突起
６００                サブコネクタ
６５０                副カム突起
６９０                副端子
７０                  相手側コネクタ
７００                相手側ハウジング
７０８                側壁
７２０                被ロック部
７４０                主カム突起
７８０                相手側主端子
７９０                相手側副端子
８８０                ケーブル
８９０                ケーブル
Ｒ１                  第１領域
Ｒ２                  第２領域
【図１】
0006513536.tif 000002
【図２】
0006513536.tif 000003
【図３】
0006513536.tif 000004
【図４】
0006513536.tif 000005
【図５】
0006513536.tif 000006
【図６】
0006513536.tif 000007
【図７】
0006513536.tif 000008
【図８】
0006513536.tif 000009
【図９】
0006513536.tif 000010
【図１０】
0006513536.tif 000011
【図１１】
0006513536.tif 000012
【図１２】
0006513536.tif 000013
【図１３】
0006513536.tif 000014
【図１４】
0006513536.tif 000015
【図１５】
0006513536.tif 000016
【図１６】
0006513536.tif 000017
【図１７】
0006513536.tif 000018
【図１８】
0006513536.tif 000019
【図１９】
0006513536.tif 000020
【図２０】
0006513536.tif 000021
【図２１】
0006513536.tif 000022
【図２２】
0006513536.tif 000023
【図２３】
0006513536.tif 000024